(57)【要約】  トラバースメカは、メカフレームに、ターンテーブル、駆動モータおよびピックアップが搭載されている。また、メカフレームには、フレーム係止溝が形成されている。制御基板には、このフレーム係止溝と対応する基板係止突起が形成されている。ディスク装置の組立時には、フレーム係止溝に基板係止突起を挿入することで、メカフレームに制御基板を係止、固定する。これにより、組立作業の容易化を図りつつ、メカフレームに対する制御基板の固定を確実に行う。【特許請求の範囲】
【請求項１】
ディスクをクランプするターンテーブル、当該ターンテーブルを回転するディスク回転駆動手段および当該クランプされたディスクに対して径方向に移動可能で、かつ当該クランプされたディスクに対する情報の読み込みを行う情報読込手段が搭載されるメカフレームと、
前記ディスク回転駆動手段あるいは前記情報読込手段の少なくともいずれか一方を制御する制御基板と、
前記メカフレームおよび前記制御基板の一方に形成される係止溝と、他方に形成される係止突起とからなり、前記制御基板をメカフレームに直接固定する制御基板支持手段と、
を備えることを特徴とするトラバースメカ。
【請求項２】
前記メカフレームと前記制御基板との間に配置され、かつ当該制御基板のメカフレーム側を覆う目隠し部材をさらに備えることを特徴とする請求項１に記載のトラバースメカ。
【請求項３】
前記目隠し部材は、前記フレーム係止溝に対応する位置に目隠し係止突起あるいは目隠し係止溝が形成されていることを特徴とする請求項２に記載のトラバースメカ。
【請求項４】
前記目隠し部材は、フィルム形状であり、前記当該制御基板のメカフレーム側に接着手段により取り付けられていることを特徴とする請求項２に記載のトラバースメカ。
【請求項５】
前記メカフレームは、板金により形成されていることを特徴とする請求項１〜４のいずれか１つに記載のトラバースメカ。
【請求項６】
少なくとも前記請求項１〜５のいずれか１つに記載のトラバースメカと、
前記トラバースメカを支持するトラバースメカ支持手段と、
前記トラバースメカと前記トラバースメカ支持部材との間に配置される緩衝手段と、
を備えることを特徴とするディスク装置。
【発明の詳細な説明】
【技術分野】
【０００１】
この発明は、トラバースメカおよびディスク装置に関し、さらに詳しくは、制御基板を備えるトラバースメカ、このトラバースメカを備えるディスク装置に関するものである。
【背景技術】
【０００２】
一般的なディスク装置は、ＤＶＤ（Digital Versatile Disc）やＣＤ（Compact Disc）などのディスクの径方向に移動可能で、かつこのディスクに記録されている情報の読み込みあるいはこのディスクへの情報の記録を行う情報読込手段であるピックアップ、ディスクをクランプするターンテーブル、ターンテーブルを回転させるディスク回転駆動手段である駆動モータなどが搭載されているトラバースメカを備えている。【０００３】
従来のディスク装置のトラバースメカは、メカフレームにピックアップ、ターンテーブル、駆動モータなどの搭載部品を搭載することで構成されていた。ここで、ディスク装置においては、上記搭載部品のほかに、駆動モータあるいはピックアップなどを制御する制御基板が必要となる。従来のディスク装置は、制御基板が緩衝部材などを介してトラバースメカを支持するトラバースメカ支持部材などに取り付けられていた。【０００４】
上記従来のディスク装置では、制御基板がトラバースメカとは、一体となっていないため、ディスク装置の小型化を図ることができなかった。そこで、特許文献１に示すように、フレーム（メカフレーム）に回路基板（制御基板）を直接固定するピックアップモジュール（トラバースメカ）を備えるディスク装置が提案されている。この特許文献１に示すディスク装置は、ピックアップモジュールと回路基板とが一体に構成されているため、ディスク装置の小型化を図ることができるものである。ディスク装置は、ＤＶＤやＣＤなどのディスクに記録されている情報の再生、あるいはこのディスクへの情報の記録の少なくともいずれか一方を行うものである。このディスク装置は、ディスクに記録されている情報を読み込み、あるいはディスクへの情報の書き込みの少なくともいずれか一方を行うピックアップが備えられている。また、ディスク装置は、このピックアップをディスクに対してこのディスクの径方向に移動させるピックアップ送り機構が備えられている。このピックアップ送り機構は、特許文献１に示すように、軸受に支持された駆動軸と、ガイド軸と、駆動軸に連結されたモータとにより構成されている。ピックアップは、その一方の端部に雌ねじが形成されており、駆動軸に形成されている雄ねじと螺合する。従って、ピックアップは、駆動軸がモータにより回転することで、モータの回転方向に応じてディスクに対してこのディスクの径方向のいずれか一方向に移動する。また、ピックアップは、その他方の端部がガイド軸によりスライド自在に支持されており、このガイド軸がピックアップの移動時におけるガイドとして機能する。【０００５】
【特許文献１】特開２００４−３４８８２２号公報
【発明の開示】
【発明が解決しようとする課題】
【０００６】
ここで、この特許文献１に示すディスク装置では、フレームに形成された１つの係止部により回路基板を係止した状態で、複数のスクリューをフレームに固定することで、このフレームと回路基板との固定が行われている（特許文献１の図７参照）。複数のスクリューを用いるのは、フレームに対する回路基板の固定を確実なものにするためである。従って、このディスク装置では、フレームと回路基板との固定を確実に行うために、スクリューをフレームに固定させる作業を複数回行う必要がある。つまり、ディスク装置の組立作業が複雑化する虞がある。【０００７】
この発明は、上述した課題をその一例として解決するものであって、組立作業の容易化を図りつつ、メカフレームに対する制御基板の固定を確実に行うことができるトラバースメカおよびディスク装置を提供することを目的とする。
【課題を解決するための手段】
【０００８】
上述した課題を解決し、目的を達成するために、本発明のトラバースメカは、ディスクをクランプするターンテーブル、当該ターンテーブルを回転するディスク回転駆動手段および当該クランプされたディスクに対して径方向に移動可能で、かつ当該クランプされたディスクに対する情報の読み込みを行う情報読込手段が搭載されるメカフレームと、前記ディスク回転駆動手段あるいは前記情報読込手段の少なくともいずれか一方を制御する制御基板と、前記メカフレームおよび前記制御基板の一方に形成される係止溝と、他方に形成される係止突起とからなり、前記制御基板をメカフレームに直接固定する制御基板支持手段とを備えることを特徴とする。【０００９】
また、本発明のディスク装置は、少なくとも上記トラバースメカと、前記トラバースメカを支持するトラバースメカ支持部材と、前記トラバースメカと前記トラバースメカ支持手段との間に配置される緩衝手段と、を備えることを特徴とする。
【発明の効果】
【００１０】
本発明にかかるトラバースメカおよびディスク装置は、メカフレームに対する制御基板の固定を確実に行うことができるとともに、組立作業の容易化を図ることができるという効果を奏する。
【図面の簡単な説明】
【００１１】
【図１】図１は、実施の形態１にかかるディスク装置の構成例を示す図である。
【図２】図２は、制御基板を固定する前のトラバースメカを示す斜視図である。
【図３】図３は、制御基板を示す斜視図である。
【図４】図４は、トラバースメカと制御基板との組立状態を示す斜視図である。
【図５】図５は、実施の形態２にかかるディスク装置の構成例を示す図である。
【符号の説明】
【００１２】
１−１，１−２  ディスク装置
１０  トラバースメカ
１１  メカフレーム
１１ａ  スリット
１１ｂ  固定突起
１１ｃ  フレーム係止溝（制御基板支持手段）
１１ｄ  規制突起
１１ｅ  突起部
１１ｆ  段差部
１２  ターンテーブル
１２ａ  クランパー
１３  駆動モータ（ディスク回転駆動手段）
１４  ピックアップ（情報読込手段）
１４ａ  ピックアップ送り機構
１５  制御基板
１５ａ  基板本体
１５ｂ  チップ
１５ｃ  基板係止突起
１５ｄ  取付孔
１６  スクリュー
１７  目隠し部材
１７ａ  目隠し係止突起
２０  トラバースメカ支持部材
３０  緩衝部材（緩衝手段）
【発明を実施するための最良の形態】
【００１３】
以下、この発明につき図面を参照しつつ詳細に説明する。なお、下記実施の形態によりこの発明が限定されるものではない。また、下記実施の形態における構成要素には、当業者が容易に想定できるもの或いは実質的に同一のものが含まれる。ここで、以下の説明では、ＤＶＤやＣＤなどのディスクを対象とするトラバースメカおよびこのトラバースメカを備えたディスク装置について説明するが、この発明はこれに限定されるものはなく、磁気ディスク、光磁気ディスクなどの光や磁気などにより情報を再生あるいは記録可能ないずれのディスクを対象とすることができる。【００１４】
（実施の形態１）
図１は、実施の形態１にかかるディスク装置の構成例を示す図である。図２は、制御基板を固定する前のトラバースメカを示す斜視図である。図３は、制御基板を示す斜視図である。図４は、トラバースメカと制御基板との組立状態を示す斜視図である。この実施の形態にかかるトラバースメカ１０は、図示しないディスクを回転させることにより、このディスクに情報を記録あるいは記録された情報を再生するディスク装置１−１に備えられるものである。【００１５】
ここで、図示しないディスク装置１−１は、実施の形態にかかるトラバースメカ１０の他に、少なくともこのトラバースメカ１０を支持するトラバースメカ支持手段であるトラバースメカ支持部材２０と、このトラバースメカ１０とトラバースメカ支持部材２０との間に配置される緩衝手段であるゴムなどで構成される緩衝手段である緩衝部材３０とにより構成されている。つまり、トラバースメカ１０は、緩衝部材３０を介して、トラバースメカ支持部材２０に支持されている。従って、トラバースメカ１０とトラバースメカ支持部材２０との間で振動、衝撃などの伝達、特にトラバースメカ支持部材２０からトラバースメカ１０に振動、衝撃が伝達されることを抑制することができる。【００１６】
トラバースメカ１０は、メカフレーム１１と、このメカフレーム１１に搭載される搭載部品であるターンテーブル１２と、駆動モータ１３と、ピックアップ１４と、制御基板１５などにより構成されている。【００１７】
メカフレーム１１は、板金により形成されており、その中央部に、ターンテーブル１２にクランプされた際における図示しないディスクの径方向である矢印Ａ方向に延在するスリット１１ａが形成されている。また、メカフレーム１１の外周部には、固定突起１１ｂと、フレーム係止溝１１ｃと、フレーム規制突起１１ｄとが形成されている。ここで、メカフレーム１１は、板金で形成されているため、鋳造により製造された鋳物のメカフレームに対して、ディスク装置１−１の軽量化を図ることができる。【００１８】
固定突起１１ｂは、メカフレーム１１の外周部から外方に向かって複数個（図２では４個）形成されている。この固定突起１１ｂは、緩衝部材３０に挟み込まれる。そして、固定突起１１ｂは、この緩衝部材３０を介して、トラバースメカ支持部材２０に固定される。これにより、この緩衝部材３０は、メカフレーム１０とトラバースメカ支持部材２０との間に配置される。【００１９】
フレーム係止溝１１ｃは、係止溝であり、メカフレーム１１に制御基板１５を直接固定する制御基板支持手段の一方を構成するものである。このフレーム係止溝１１ｃは、メカフレーム１１の外周部からメカフレーム支持部材側に向かって突出する複数の突出部１１ｅ（図２では３個）にそれぞれ形成されている。また、フレーム係止溝１１ｃは、突起部１１ｅに対して同一方向から切り欠いた形状に形成されている。なお、フレーム係止溝１１ｃは、突起部１１ｅに対して制御基板１５をメカフレーム１１に係止した際に、制御基板１５の後述するチップ１５ｂがこの制御基板１５以外の搭載部品と干渉しない位置となるように形成されている。【００２０】
規制突起１１ｄは、メカフレーム１１の外周部からメカフレーム支持部材側に向かって突出して形成されている。この規制突起１１ｄの先端部は、段差部１１ｆを有している。【００２１】
ターンテーブル１２は、駆動モータ１３の図示しない回転軸と連結されている。このターンテーブル１２には、クランパー１２ａが形成されており、このクランパー１２ａが図示しないディスクの中央部に形成された孔に挿入されることで、このディスクがターンテーブル１２にクランプされる。なお、このターンテーブル１２は、メカフレーム１１のスリット１１ａからこのメカフレーム１１に対してメカフレーム支持部材側と反対側に突出する位置に配置される。【００２２】
駆動モータ１３は、モータフレーム１３ａに固定されており、このモータフレーム１３ａがメカフレーム１１に連結されている。従って、ターンテーブル１２および駆動モータ１３は、メカフレームに搭載され、搭載部品として構成される。この駆動モータ１３は、制御基板１５と電気的に接続されており、制御基板１５からの駆動信号によりターンテーブル１２を回転し、このターンテーブル１２にクランプされたディスクを回転する。【００２３】
ピックアップ１４は、情報読込手段であり、ピックアップ送り機構１４ａを介してメカフレーム１１に搭載されている。このピックアップ１４は、このピックアップ送り機構１４ａにより、ターンテーブル１２にクランプされた図示しないディスクに対して、このディスクの径方向である矢印Ａ方向に移動することができる。ここで、このピックアップ１４は、メカフレーム１１のスリット１１ａに沿って移動する。このピックアップ１４は、制御基板１５と電気的に接続されており、制御基板１５からの読込信号により、ディスクに記録されている情報の再生、すなわち情報の読み込みを行うものである。ここで、ピックアップ送り機構１４ａは、制御基板１５と電気的に接続されており、制御基板１５からの送り信号により、ピックアップ１４をディスクの径方向に移動させる。なお、このピックアップ１４は、情報読込手段として機能するだけでなく、情報書込手段として機能しても良い。つまり、ピックアップ１４は、ターンテーブル１２とともに回転するディスクに対して、このディスクの径方向に移動することで、ディスクに情報を記録、すなわち情報の書き込みを行っても良い。【００２４】
制御基板１５は、図３に示すように、ディスク回転駆動手段である駆動モータ１３、情報読込手段であるピックアップ１４、ピックアップ送り機構１４ａなどの制御をおこなうものである。この制御基板１５は、基板本体１５ａと、チップ１５ｂと、基板係止突起１５ｃと、取付孔１５ｄとにより構成されている。基板本体１５ａには、複数のチップ１５ｂが取り付けられている。チップ１５ｂは、基板の両面に所定の箇所に取り付けられている。【００２５】
基板係止突起１５ｃは、係止突起であり、メカフレーム１１に制御基板１５を直接固定する制御基板支持手段の一方を構成するものである。この基板係止突起１５ｃは、基板本体１５ａの外周部から外方に向かって複数個（図２では３個）形成されている。基板係止突起１５ｃは、制御基板１５をメカフレーム１１に固定した際に、上記フレーム係止溝１１ｃに対応する位置に形成されている。ここで、この基板係止突起１５ｃは、クランプされたディスクの軸方向における長さ（厚さ）が上記フレーム係止溝１１ｃのクランプされたディスクの軸方向における長さ（厚さ）と同一あるいは若干小さくなるように形成されている。【００２６】
取付孔１５ｄは、制御基板１５をメカフレーム１１に固定した際に、上記規制突起１１ｄに対応する位置に形成されている。また、この取付孔１５ｄの形状は、上記規制突起１１ｄの段差部１１ｆよりも先端側の断面形状とほぼ同一形状である。【００２７】
ディスク装置１−１の組立時において、メカフレーム１１に制御基板１５を直接固定するには、上述した制御基板支持手段を構成するフレーム係止溝１１ｃに基板係止突起１５ｃを係止することで行われる。まず、制御基板１５を固定する前に、ターンテーブル１２が図示しない回転軸に連結された駆動モータ１３およびピックアップ１４をメカフレーム１１に搭載する。そして、図４に示すように、制御基板１５の各基板係止突起１５ｃをメカフレーム１１の各フレーム係止溝１１ｃにそれぞれ挿入することで、メカフレーム１１に制御基板１５を係止し、固定する。【００２８】
ここで、各基板係止突起１５ｃをメカフレーム１１の各フレーム係止溝にそれぞれ挿入される際に、制御基板１５の取付孔１５ｄには、メカフレーム１１の規制突起１１ｄの段差部１１ｆよりも先端部が挿入される。従って、制御基板支持手段で係止された制御基板１５は、この規制突起１１ｄの軸方向に直行する方向への移動が規制される。つまり、挿入する方向と反対方向への移動が規制される。これにより、制御基板支持手段によりメカフレーム１１に固定された制御基板１５がこのメカフレーム１１に対して移動することを抑制することができる。なお、同図に示すように、規制突起１１ｄにスクリュー１６を螺合することで、スクリュー１６により、制御基板１５をメカフレーム１１に対して固定しても良い。これにより、制御基板支持手段で係止された制御基板１５は、この規制突起１１ｄの軸方向への移動が確実に規制される。【００２９】
この実施の形態１では、別部材である固定手段（例えば、スクリュー）を複数用いることなく、メカフレーム１１に対する制御基板１５の固定を行うことができる。従って、このメカフレーム１１に対する制御基板１５の固定を確実に行うことができるとともに、組立作業の容易化を図ることができる。また、ディスク装置１−１を含む機器が落下しこのディスク装置１−１に衝撃が加わった際に、トラバースメカ支持部材２０に作用する衝撃力は、緩衝部材３０に低減される。従って、トラバースメカ支持部材２０に作用する衝撃力は、トラバースメカ支持部材２０に作用する衝撃力よりも小さくなるため、メカフレーム１１に直接固定されている制御基板１５の破損を抑制することができる。【００３０】
（実施の形態２）
図５は、実施の形態２にかかるディスク装置の構成例を示す図である。同図に実施の形態２にかかるディスク装置１−２が、図１に示す実施の形態１にかかるディスク装置１−１と異なる点は、目隠し部材１７をさらに備える点である。なお、実施の形態２にかかるディスク装置１−２の基本的構成は、実施の形態１にかかるディスク装置１−１の基本的構成とほぼ同一であるため、説明は省略する。【００３１】
図１に示すように、トラバースメカ１０を備えるディスク装置１−１は、ユーザにより図示しないディスクがターンテーブル１２にクランプされるものである。従って、トラバースメカ１０のトラバースメカ支持部材側と反対側、すなわちメカフレーム側は、ユーザに対して視認できる部分となる。ここで、メカフレーム１１には、スリット１１ａが形成されているため、トラバースメカ１０のトラバースメカ支持部材側に直接固定されている制御基板１５も、矢印Ｂに示すように、ユーザは視認することができる。従って、ディスク装置１−１の美観をそこなう虞がある。また、ユーザがスリット１１ａを介して、制御基板１５に接触することができるため、ユーザの不注意により制御基板１５が損傷する虞がある。【００３２】
目隠し部材１７は、平板形状であり、メカフレーム１１と制御基板１５との間に配置されている。この目隠し部材１７は、金属あるいは合成樹脂などで構成されており、制御基板１５の少なくともメカフレーム１１のスリット１１ａから視認できる範囲を覆うものである。この目隠し部材１７の外周部には、この目隠し部材１７の外周部から外方に向かって目隠し係止突起１７ａが複数個形成されている。この目隠し係止突起１７ａは、目隠し部材１７をメカフレーム１１に固定される制御基板１５に固定した際に、フレーム係止溝１１ｃに対応する位置に形成されている。なお、目隠し部材１７は、この目隠し部材１７をメカフレーム１１に固定される制御基板１５に固定した際の規制突起１１ｄに対応する位置に、図示しない取付穴が形成されている。この取付穴の形状は、上記規制突起１１ｄの段差部１１ｆよりも先端側の断面形状とほぼ同一形状である。【００３３】
ここで、基板係止突起１５ｃおよび目隠し係止突起１７ａは、基板係止突起１５ｃの厚さとこの目隠し係止突起１７ａのクランプされたディスクの軸方向における長さ（厚さ）と合わせた厚さが上記フレーム係止溝１１ｃの厚さと同一あるいは若干小さくなるように形成されている。なお、目隠し部材１７は、平板形状に限られず、フィルム形状であっても良い。この場合は、制御基板１５のトラバースメカ支持部材側と反対側、すなわちメカフレーム側を覆うように、図示しない接着手段によりこの制御基板１５に取り付けられていても良い。【００３４】
目隠し部材１７は、制御基板１５とともにメカフレーム１１に直接固定される。これは、フレーム係止溝１１ｃに基板係止突起１５ｃおよび目隠し係止突起１７ａを係止することで行われる。同図に示すように、制御基板１５の各基板係止突起１５ｃおよび取付孔１５ｄと、目隠し部材１７の各目隠し係止突起１７ａおよび図示しない取付穴とがそれぞれ重なるように、この目隠し部材１７を制御基板１５のトラバースメカ支持部材側と反対側、すなわちメカフレーム側の面に配置する。そして、各基板係止突起１５ｃおよびこの各基板係止突起１５ｃにそれぞれ重なる各目隠し係止突起１７ａをメカフレーム１１の各フレーム係止溝１１ｃにそれぞれ挿入することで、制御基板１５に目隠し部材１７を係止し、固定する。なお、目隠し部材１７の取付穴には、制御基板１５の取付孔１５ｄと同様に、メカフレーム１１の規制突起１１ｄの段差部１１ｆよりも先端部が挿入される。従って、目隠し部材１７は、この規制突起１１ｄの軸方向に直行する方向への移動が規制される。つまり、挿入する方向と反対方向への移動が規制される。これにより、制御基板１５に固定された目隠し部材１７がこの制御基板１５に対して移動することを抑制することができる。【００３５】
この実施の形態２では、メカフレーム１１と制御基板１５との間に、目隠し部材１７を配置するので、メカフレーム１１のスリット１１ａからユーザが矢印Ｂに示すように、トラバースメカ支持部材側を見ても、制御基板１５を視認することができない。従って、ディスク装置１−２の美観の向上を図ることができる。また、目隠し部材１７により、ユーザがスリット１１ａを介して、制御基板１５に接触することができないため、ユーザの不注意による制御基板１５の損傷を抑制することができる。【００３６】
なお、上記実施の形態１，２においては、制御基板支持手段をフレーム係止溝１１ｃと基板係止突起１５ｃとにより構成しているが、この発明はこれに限定されるものではない。例えば、メカフレーム１１にフレーム係止突起を形成し、制御基板１５に基板係止溝を形成しても良い。また、メカフレーム１１および制御基板１５のそれぞれにフレーム係止溝１１ｃおよび基板係止溝を形成しても良い。この場合は、フレーム係止溝１１ｃと基板係止溝とが互いに挿入されることで、メカフレーム１１に対して制御基板１５を係止、固定する。【００３７】
以上のように、実施の形態１，２のトラバースメカ１０は、図示しないディスクをクランプするターンテーブル１２、このターンテーブル１２を回転する駆動モータ１３およびこのクランプされたディスクに対して径方向に移動可能で、かつこのクランプされたディスクに対する情報の読み込みを行うピックアップ１４が搭載されるメカフレーム１１と、駆動モータ１３およびピックアップ１４を制御する制御基板１５と、メカフレーム１１に形成されたフレーム係止溝１１ｃと、制御基板１５のフレーム係止溝１１ｃに対応する位置に形成された基板係止突起１５ｃとからなり、制御基板１５をメカフレーム１１に直接固定する制御基板支持手段とを備えるので、複数の別部材である固定手段を用いることなく、メカフレーム１１に対する制御基板１５の固定を行うことができる。従って、このメカフレーム１１に対する制御基板１５の固定を確実に行うことができるとともに、組立作業の容易化を図ることができる。【００３８】
また、この実施の形態１あるいは２のトラバースメカ１０を用いてディスク装置１−１，１−２を構成するので、このメカフレーム１１に対する制御基板１５の固定を確実に行うことができるとともに、組立作業の容易化を図ることができる。
【産業上の利用可能性】
【００３９】
以上のように、本発明にかかるトラバースメカおよびディスク装置は、メカフレームに対する制御基板の固定を確実に行うのに有用であり、特に、組立作業の容易化を図るのに適している。
【図１】
2006082889.tif 000002
【図２】
2006082889.tif 000003
【図３】
2006082889.tif 000004
【図４】
2006082889.tif 000005
【図５】
2006082889.tif 000006
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
ディスクをクランプするターンテーブル、当該ターンテーブルを回転するディスク回転駆動手段および当該クランプされたディスクに対して径方向に移動可能で、かつ当該クランプされたディスクに対する情報の読み込みを行う情報読込手段が搭載されるメカフレームと、
前記ディスク回転駆動手段あるいは前記情報読込手段の少なくともいずれか一方を制御する制御基板と、
前記メカフレームおよび前記制御基板の一方に形成される係止溝と、他方に形成される係止突起とからなり、前記制御基板をメカフレームに直接固定する制御基板支持手段と、
前記メカフレームと前記制御基板との間に配置され、かつ当該制御基板のメカフレーム側を覆う目隠し部材と、
を備えることを特徴とするトラバースメカ。
【請求項２】
前記目隠し部材は、前記フレーム係止溝に対応する位置に目隠し係止突起あるいは目隠し係止溝が形成されていることを特徴とする請求項１に記載のトラバースメカ。
【請求項３】
前記目隠し部材は、フィルム形状であり、前記当該制御基板のメカフレーム側に接着手段により取り付けられていることを特徴とする請求項１に記載のトラバースメカ。
【請求項４】
前記メカフレームは、板金により形成されていることを特徴とする請求項１〜３のいずれか１つに記載のトラバースメカ。
【請求項５】
少なくとも前記請求項１〜４のいずれか１つに記載のトラバースメカと、
前記トラバースメカを支持するトラバースメカ支持手段と、
前記トラバースメカと前記トラバースメカ支持部材との間に配置される緩衝手段と、
を備えることを特徴とするディスク装置。
【手続補正２】
【補正対象書類名】明細書
【補正対象項目名】０００３
【補正方法】変更
【補正の内容】
【０００３】
に直接固定する制御基板支持手段と、前記メカフレームと前記制御基板との間に配置され、かつ当該制御基板のメカフレーム側を覆う目隠し部材とを備えることを特徴とする。
［０００９］
また、本発明のディスク装置は、少なくとも上記トラバースメカと、前記トラバースメカを支持するトラバースメカ支持部材と、前記トラバースメカと前記トラバースメカ支持手段との間に配置される緩衝手段と、を備えることを特徴とする。
発明の効果
［００１０］
本発明にかかるトラバースメカおよびディスク装置は、メカフレームに対する制御基板の固定を確実に行うことができるとともに、組立作業の容易化を図ることができるという効果を奏する。
図面の簡単な説明
［００１１］
［図１］図１は、実施の形態１にかかるディスク装置の構成例を示す図である。
［図２］図２は、制御基板を固定する前のトラバースメカを示す斜視図である。
［図３］図３は、制御基板を示す斜視図である。
［図４］図４は、トラバースメカと制御基板との組立状態を示す斜視図である。
［図５］図５は、実施の形態２にかかるディスク装置の構成例を示す図である。
符号の説明
［００１２］
１−１，１−２  ディスク装置
１０  トラバースメカ
１１  メカフレーム
１１ａ  スリット
１１ｂ  固定突起
１１ｃ  フレーム係止溝（制御基板支持手段）
１１ｄ  規制突起
１１ｅ  突起部
１１ｆ  段差部
１２  ターンテーブル
１２ａ  クランパー
１３  駆動モータ（ディスク回転駆動手段）
１４  ピックアップ（情報読込手段）
【手続補正３】
【補正対象書類名】明細書
【補正対象項目名】０００５
【補正方法】変更
【補正の内容】
【０００５】
ースメカ支持部材２０と、このトラバースメカ１０とトラバースメカ支持部材２０との間に配置される緩衝手段であるゴムなどで構成される緩衝手段である緩衝部材３０とにより構成されている。つまり、トラバースメカ１０は、緩衝部材３０を介して、トラバースメカ支持部材２０に支持されている。従って、トラバースメカ１０とトラバースメカ支持部材２０との間で振動、衝撃などの伝達、特にトラバースメカ支持部材２０からトラバースメカ１０に振動、衝撃が伝達されることを抑制することができる。
［００１６］
トラバースメカ１０は、メカフレーム１１と、このメカフレーム１１に搭載される搭載部品であるターンテーブル１２と、駆動モータ１３と、ピックアップ１４と、制御基板１５などにより構成されている。
［００１７］
メカフレーム１１は、板金により形成されており、その中央部に、ターンテーブル１２にクランプされた際における図示しないディスクの径方向である矢印Ａ方向に延在するスリット１１ａが形成されている。また、メカフレーム１１の外周部には、固定突起１１ｂと、フレーム係止溝１１ｃと、規制突起１１ｄとが形成されている。ここで、メカフレーム１１は、板金で形成されているため、鋳造により製造された鋳物のメカフレームに対して、ディスク装置１−１の軽量化を図ることができる。
［００１８］
固定突起１１ｂは、メカフレーム１１の外周部から外方に向かって複数個（図２では４個）形成されている。この固定突起１１ｂは、緩衝部材３０に挟み込まれる。そして、固定突起１１ｂは、この緩衝部材３０を介して、トラバースメカ支持部材２０に固定される。これにより、この緩衝部材３０は、メカフレーム１０とトラバースメカ支持部材２０との間に配置される。
［００１９］
フレーム係止溝１１ｃは、係止溝であり、メカフレーム１１に制御基板１５を直接固定する制御基板支持手段の一方を構成するものである。このフレーム係止溝１１ｃは、メカフレーム１１の外周部からメカフレーム支持部材側に向かって突出する複数の突出部１１ｅ（図２では３個）にそれぞれ形成されている。また、フレーム係止溝１１ｃは、突起部１１ｅに対して同一方向から切り欠いた形状に形成されている。なお、フレーム係止溝１１ｃは、突起部１１ｅに対して制御基板１５をメカフレーム１１に係止した際に、制御基板１５の後述するチップ１５ｂがこの制御基板１５以外の搭載部品と干渉しない位置となるように形成されている。
【手続補正４】
【補正対象書類名】明細書
【補正対象項目名】０００７
【補正方法】変更
【補正の内容】
【０００７】
のである。この制御基板１５は、基板本体１５ａと、チップ１５ｂと、基板係止突起１５ｃと、取付孔１５ｄとにより構成されている。基板本体１５ａには、複数のチップ１５ｂが取り付けられている。チップ１５ｂは、基板の両面に所定の箇所に取り付けられている。
［００２５］
基板係止突起１５ｃは、係止突起であり、メカフレーム１１に制御基板１５を直接固定する制御基板支持手段の一方を構成するものである。この基板係止突起１５ｃは、基板本体１５ａの外周部から外方に向かって複数個（図２では３個）形成されている。基板係止突起１５ｃは、制御基板１５をメカフレーム１１に固定した際に、上記フレーム係止溝１１ｃに対応する位置に形成されている。ここで、この基板係止突起１５ｃは、クランプされたディスクの軸方向における長さ（厚さ）が上記フレーム係止溝１１ｃのクランプされたディスクの軸方向における長さ（厚さ）と同一あるいは若干小さくなるように形成されている。
［００２６］
取付孔１５ｄは、制御基板１５をメカフレーム１１に固定した際に、上記規制突起１１ｄに対応する位置に形成されている。また、この取付孔１５ｄの形状は、上記規制突起１１ｄの段差部１１ｆよりも先端側の断面形状とほぼ同一形状である。
［００２７］
ディスク装置１−１の組立時において、メカフレーム１１に制御基板１５を直接固定するには、上述した制御基板支持手段を構成するフレーム係止溝１１ｃに基板係止突起１５ｃを係止することで行われる。まず、制御基板１５を固定する前に、ターンテーブル１２が図示しない回転軸に連結された駆動モータ１３およびピックアップ１４をメカフレーム１１に搭載する。そして、図４に示すように、制御基板１５の各基板係止突起１５ｃをメカフレーム１１の各フレーム係止溝１１ｃにそれぞれ挿入することで、メカフレーム１１に制御基板１５を係止し、固定する。
［００２８］
ここで、各基板係止突起１５ｃをメカフレーム１１の各フレーム係止溝にそれぞれ挿入される際に、制御基板１５の取付孔１５ｄには、メカフレーム１１の規制突起１１ｄの段差部１１ｆよりも先端部が挿入される。従って、制御基板支持手段で係止された制御基板１５は、この規制突起１１ｄの軸方向に直交する方向への移動が規制される。つまり、挿入する方向と反対方向への移動が規制される。これにより、制御基板支持手段によりメカフレーム１１に固定された制御基板１５がこのメカフレーム１１に対して移動することを抑制することができる。なお、同図に示すように、規制突起１１ｄにスクリュー
【手続補正５】
【補正対象書類名】明細書
【補正対象項目名】０００８
【補正方法】変更
【補正の内容】
【０００８】
１６を螺合することで、スクリュー１６により、制御基板１５をメカフレーム１１に対して固定しても良い。これにより、制御基板支持手段で係止された制御基板１５は、この規制突起１１ｄの軸方向への移動が確実に規制される。
［００２９］
この実施の形態１では、別部材である固定手段（例えば、スクリュー）を複数用いることなく、メカフレーム１１に対する制御基板１５の固定を行うことができる。従って、このメカフレーム１１に対する制御基板１５の固定を確実に行うことができるとともに、組立作業の容易化を図ることができる。また、ディスク装置１−１を含む機器が落下しこのディスク装置１−１に衝撃が加わった際に、トラバースメカ支持部材２０に作用する衝撃力は、緩衝部材３０に低減される。従って、メカフレーム１１に作用する衝撃力は、トラバースメカ支持部材２０に作用する衝撃力よりも小さくなるため、メカフレーム１１に直接固定されている制御基板１５の破損を抑制することができる。
［００３０］
（実施の形態２）
図５は、実施の形態２にかかるディスク装置の構成例を示す図である。同図に実施の形態２にかかるディスク装置１−２が、図１に示す実施の形態１にかかるディスク装置１−１と異なる点は、目隠し部材１７をさらに備える点である。なお、実施の形態２にかかるディスク装置１−２の基本的構成は、実施の形態１にかかるディスク装置１−１の基本的構成とほぼ同一であるため、説明は省略する。
［００３１］
図１に示すように、トラバースメカ１０を備えるディスク装置１−１は、ユーザにより図示しないディスクがターンテーブル１２にクランプされるものである。従って、トラバースメカ１０のトラバースメカ支持部材側と反対側、すなわちメカフレーム側は、ユーザに対して視認できる部分となる。ここで、メカフレーム１１には、スリット１１ａが形成されているため、トラバースメカ１０のトラバースメカ支持部材側に直接固定されている制御基板１５も、矢印Ｂに示すように、ユーザは視認することができる。従って、ディスク装置１−１の美観をそこなう虞がある。また、ユーザがスリット１１ａを介して、制御基板１５に接触することができるため、ユーザの不注意により制御基板１５が損傷する虞がある。
［００３２］
目隠し部材１７は、平板形状であり、メカフレーム１１と制御基板１５との間に配置されている。この目隠し部材１７は、金属あるいは合成樹脂などで構成されており、制御
【国際調査報告】
2006082889.tif 000007
2006082889.tif 000008